(57)【要約】  使用者（１０）の体の少なくとも一部に密着して置くのに適したパルス電磁放射装置（１）であって、少なくとも１つのパルス磁界（２ａ）を放射するのに適した少なくとも１つの第１のエミッタ（２）と、少なくとも１つの発光信号（３ａ）を生成するのに適した少なくとも１つの第２のエミッタ（３）とを備え、第２のエミッタ（３）が、第１のエミッタ（２）がパルス磁界（２ａ）を放射するときにパルス磁界（２ａ）に少なくとも部分的に包まれる、パルス電磁放射装置（１）が提供される。【選択図】  図１
2020511172.tif 000002
【特許請求の範囲】
【請求項１】
物体（１０）と密接に置くのに適したパルス電磁放射装置（１）であって、少なくとも、  向かい合って、互いに対向してパルス磁界を生成するように構成された２つの拡散器（５）を備え、  前記物体（１０）は、前記２つの拡散器（５）の間に配置することができ、  前記拡散器（５）はそれぞれ、  前記パルス磁界（２ａ）を放射するのに適した第１のエミッタ（２）と、  少なくとも１つの電流生成器（４）と、を備える、パルス電磁放射装置（１）において、  前記拡散器（５）はそれぞれ、  少なくとも１つの発光信号（３ａ）を生成するのに適した第２のエミッタ（３）であって、前記発光信号（３ａ）を放射するのに適した少なくとも１つの放射源（３０）と、拡散面（３１ａ）を形成する少なくとも１つのプレート（３１）とを備え、前記拡散面（３１ａ）が、前記発光信号（３ａ）を拡散するのに適している、第２のエミッタ（３）を備え、  前記プレート（３１）は、前記第１のエミッタ（２）と、前記パルス磁界（２ａ）で処理されるべき前記物体（１０）との間に介在している  ことを特徴とするパルス電磁放射装置（１）。
【請求項２】
前記第１のエミッタ（２）は、少なくとも１つの導電性フィラメントを備え、前記導電性フィラメントは、前記パルス磁界（２ａ）を生成するのに適したパルス電流（２ｂ）を内部に通過させるのに適している、請求項１に記載の装置（１）。
【請求項３】
前記第１のエミッタ（２）はソレノイド（２０）である、請求項１または２に記載の装置（１）。
【請求項４】
前記パルス磁界（２ａ）は前記拡散面（３１ａ）を横切り、前記パルス磁界（２ａ）および前記拡散面（３１ａ）は、前記パルス磁界（２ａ）がゼロ以外の値を有するときにゼロ以外のパルス磁界流を形成する、請求項１〜３のうちいずれか一項に記載の装置（１）。
【請求項５】
前記電流生成器（４）は、前記パルス電流（２ｂ）を生成するのに適しており、前記第１のエミッタ（２）と電気的な接続状態に置かれる、請求項１〜４のうちいずれか一項に記載の装置（１）。
【請求項６】
前記拡散器（５）は耳用タイプの拡散器であり、前記装置（１）は耳用ヘッドホン（６）で構成される、請求項１〜５のうちいずれか一項に記載の装置（１）。
【請求項７】
食料、飲料、液体、栄養補助食品、クリーム、ゲル、およびプロテーゼ用材料を処理するための、請求項１に記載の装置（１）の使用。
【発明の詳細な説明】
【技術分野】
【０００１】
本発明は、第１の請求項の前文に明記した種類のパルス電磁放射装置に関する。
【０００２】
本発明は特に、体細胞と有益な目的で相互作用する電磁インパルスを使用者に対して起こすように構成された装置に関する。
【背景技術】
【０００３】
人体は一般に、各人の毎日の生活に対する影響を伴って人体の健康を損なう、炎症や老化を受けることが知られている。
【０００４】
これらの好ましからぬ自然状態は特に、特定の病気でない場合には、不安状態、不安感や悲しみに対する感受性を高めたり、免疫防御性や集中力を低下させたりすることがある、体細胞電位のばらつきに起因する。
【０００５】
詳細には、細胞炎症は、正電荷の望ましくない蓄積によって生じる。これら正電荷が過剰になると、前記したように炎症が生じ、細胞膜電位値の上昇による細胞ストレスが時間とともに生じる。
【０００６】
最適な細胞膜電位は実質的に−９０ｍＶに等しい。細胞膜電位が−２０ｍＶの値に達すると、細胞変性が始まり、細胞変性は、細胞死が起きるゼロ値まで続く。
【０００７】
よって、体細胞特性を最適に維持する電磁界により、物理レベルで最適な推力を提供することが重要である。
【０００８】
されど、最新技術において、電磁界を使用する治療技術がよく知られている。
【０００９】
これらの技術は、「磁気療法」という用語によって知られており、特に、体細胞電位を再生するためにパルス磁界を人体に適用することを伴う。
【００１０】
よって、前記治療手技の実施に従来供されてきた装置は一般に、ソレノイドを使用し、磁界生成用の強いパルス電流がソレノイド自体の軸線に沿って内部を流れる。
【００１１】
特に、そのような技術に採用される磁界は一般に、１０Ｔ程度の値にまで及ぶ強さを有する。
【００１２】
よって、これらのソレノイドは典型的に、円形拡散器、ハンドルツールまたはヘッドホンの内部にある体に適用され、このことは、使用者の頭部にソレノイドを置くことを可能にする。
【００１３】
説明されるものの例が、特許文献１にある。
【００１４】
詳細には、この出願は、脳によって放射される電磁周波数を再活性化したりバランスさせたりして生命プロセスを刺激することにより、体にとって健全な電磁波を生成する、耳用刺激器を記載している。
【００１５】
さらに、装置の放射周波数は、生体機能によって発現する周波数と完全に整合する、１８Ｈｚ未満の値、すなわち極低周波（ＥＬＦ）および超低周波（ＵＬＦ）の範囲内に留まる。
【００１６】
記載される先行技術は、いくつかの主要な欠点を有する。
【００１７】
磁気療法装置は特に、磁気パルスのみを使用者の体に放射することができ、この機能のみを実施するのに適している。
【００１８】
よって、さらなる主要な欠点は、最新技術の装置が、様々な種類の刺激によって人体細胞を刺激できない点にある。
【００１９】
類似の装置が、特許文献２および特許文献３に記載されている。
【先行技術文献】
【特許文献】
【００２０】
【特許文献１】特許出願第ＰＣ１９９１Ａ０００００７号
【特許文献２】米国特許第６，４４３，９７８号明細書
【特許文献３】国際公開第２００８／０４９７７５号
【発明の概要】
【００２１】
これに関連して、本発明の基になる技術的課題は、上記欠点を実質的に無くすことができるパルス電磁放射装置を考案することである。
【００２２】
前記技術的課題の範囲において、本発明の主要な目的は、最新技術と比べて向上した態様で使用者の体細胞電位を再生できる装置を得ることである。
【００２３】
本発明の別の主要な目的は、磁気に限らない刺激で使用者の体を刺激できるパルス電磁放射装置を提供することである。
【００２４】
結論として、本発明の更なる目的は、相乗的に作用し合う刺激によって使用者の体と相互作用するのに適した装置を提供することである。
【課題を解決するための手段】
【００２５】
技術的課題および明記した目的は、添付の請求項１において特許請求されるようなパルス電磁放射装置によって達成される。好適な実施形態が従属請求項に記載される。
【００２６】
本発明の特徴および利点は、添付図面を参照した、本発明の好適な実施形態の詳細な説明から明らかになるであろう。
【図面の簡単な説明】
【００２７】
【図１】パルス電磁放射装置を示す。
【図２】ソレノイドおよびプレートを斜視図に示す。
【図３】耳用ヘッドホンの形態である本発明による装置である。
【図４】磁化ボックスとして構成された本発明による装置である。
【発明を実施するための形態】
【００２８】
本明細書において、「約」のような用語または「ほぼ」もしくは「実質的に」などの他の類似の用語と関連付けられるときの寸法、値、形状および幾何学的参照（垂直、平行など）は、測定の誤差または誤りでない限り、特に、関連付けられる値、寸法、形状、または幾何学的参照からの僅かな差でない限り、生産上および／または製造上の欠陥によるものと理解されたい。例えば、これらの用語は、値と関連付けられる場合、値自体の１０％を超えない差異を示すことが好ましい。
【００２９】
さらに、「第１の」、「第２の」、「より高い」、「より低い」、「一次の」および「二次の」などの用語が使用される際、順序、優先関係または相対位置を必ずしも示しておらず、単に異なる構成要素を互いにより明瞭に区別するために使用されることがある。
【００３０】
図を参照すると、本発明によるパルス電磁放射装置の全体が番号１で示されている。
【００３１】
パルス電磁放射装置１は、使用者の体または食料、水、飲用液体もしくは動物などの少なくとも一部である物体１０と密接に配置するのに適していることが好ましい。
【００３２】
例えば、装置１は、使用者１０の頭部の領域、または、例えばびまん性炎症を受けた、手足もしくは関節などの体の他の部位に配置することができる。
【００３３】
しかし、装置１は、治療のためのものに限らず、食料、飲料、液体、栄養補助食品やプロテーゼ用材料の処理のためのものとしてもよい。
【００３４】
例えば、装置１は、栄養価を高め、抗酸化作用を向上させるために、リンゴと密接に置いたり、水などの液体の近くに置いたりすることができる。
【００３５】
装置１は概して、処理される材料の人体との適合性や生態適合性を高めることにより、周波数整合（同調領域）の状態を作り出すために、材料、液体組成物、クリームやゲル、およびプロテーゼに適用することができる。
【００３６】
装置１はまた、少なくとも第１のエミッタ２および第２のエミッタ３を備える。
【００３７】
第１のエミッタ２は特に、少なくとも１つのパルス磁界２ａを放射するのに適していることが好ましい。このパルス磁界は、様々な種類の要素によって生成することができ、それらの力線を形成する。
【００３８】
好ましくは、第１のエミッタ２は、少なくとも１つの導電性フィラメントを備える。よって、導電性フィラメントは、例えば、パルス電流２ｂを内部に通過させるのに適している。
【００３９】
よって、このパルス電流２ｂは、パルス磁界２ａを生成するのに適している。
【００４０】
パルス電流２ｂは、様々な種類の形状を有してもよい。例えば、それは、矩形状、三角形状、鋸刃状の波形、または正規波形で構成される電流とすることができる。好ましくは、パルス電流２ｂは、中波三角波である。中波三角波は、パルス電流２ｂが、ゼロ値の部分で隔てられた正または負のみの三角形ピークを備えることを意味することを意図している。
【００４１】
さらに、パルス電流２ｂは、好ましくは１ｄＡ〜１ｄａＡ、より好適には１Ａの最大強度を有し、２５Ｈｚ未満、より好適には１９Ｈｚ未満の周波数を有する。
【００４２】
よって、パルス磁界２ａは、パルス電流２ｂと同じパターンおよび同じ周波数を有することが好ましく、強さは、第１のエミッタ２として選ばれた導体の種類に依存する。
【００４３】
また好ましくは、パルス磁界２ａは、１０Ｇまたは１０−３Ｔ未満の強さを有する。
【００４４】
好ましくは、第１のエミッタ２はソレノイド２０であり、よって、導電性フィラメントは、連続的に巻回され、前記ソレノイド２０を形成するコイルとなる。
【００４５】
よって、好ましくはソレノイド２０によって生成されるパルス磁界２ａは、ソレノイド２０自体の寸法と、導電性フィラメントによって形成されたコイルの数とに依存する。
【００４６】
さらに、パルス磁界２ａは、ソレノイド２０自体の内部で最大となることが好ましい。
【００４７】
第２のエミッタ３は、少なくとも１つの発光信号３ａを生成するのに適していることが好ましい。
【００４８】
この発光信号３ａは、例えば、パルス信号または可変周波数の連続信号であり、よって、様々な明るさまたは色の調子を示すことができる。
【００４９】
第２のエミッタ３は、例えば、発光信号３ａを放射するのに適した少なくとも１つの放射源３０を備える。
【００５０】
放射源３０は、様々な種類とすることができる。例えば、放射源３０は、白熱灯または蛍光灯であってもよく、さらに他の種類であってもよいが、ＬＥＤ放射源であることがより好ましい。
【００５１】
最も好適には、放射源３０は、制御されたやり方で多色周波数を生成するのに適したＬＥＤ放射源であり、例えばＲＧＢ形式のＬＥＤ放射源である。
【００５２】
放射源３０は、赤外線および／または紫外線またはそれ以上などの可視域外の光を放射するのに適したものとすることもできる。
【００５３】
第２のエミッタ３はさらに、少なくとも１つのプレート３１も備えることが好ましい。
【００５４】
プレートという用語は、２つの寸法が第３の寸法に対して著しく支配的である幾何学的な対象を意味することを意図している。
【００５５】
よって、このプレート３１は、例えば、前記発光信号３ａを拡散するのに適した拡散面３１ａを形成する。
【００５６】
この拡散面３１ａは本質的に、例えば、プレート３１の支配的な寸法によって形成された領域である。
【００５７】
さらに、プレート３１は、例えばガラスなど、光を拡散できる様々な材料で作ることができる。好ましくは、プレート３１は、ポリマー材料、より好適にはＰＶＣで作られる。
【００５８】
さらに、プレート３１は、例えば白色であるが、様々な色を選ぶことができ、透明にすることもできる。プレート３１は、完全に不透明でもあり得て、装置の内部のみに光を拡散することもできる。
【００５９】
プレート３１は、様々な形態によって装置の内部に配置することができる。好ましくは、プレート３１は、治療目的で使用する場合に、第１のエミッタ２と、使用者１０の体の少なくとも一部との間に介在したり、第１のエミッタ２と、装置１が処理を施す食料や液体容器の外面との間に介在したりする。
【００６０】
特に加えて、プレート３１は、第１のエミッタ２によって生成されたパルス磁界２ａが拡散面３１ａを横切るように、例えば、第１のエミッタ２の近くに配置される。よって、パルス磁界２ａおよび拡散面３１ａは、パルス磁界２ａがゼロ以外の値を有するときに実質的にゼロ以外となるパルス磁界流を形成する。
【００６１】
例えば、第１のエミッタ２がソレノイド２０である場合を想定すると、プレート３１は、パルス磁界２ａのより強い力線が垂直方向に拡散面３１ａを横切るように、ソレノイドの２つの中空ベースの一方に載せることができる。
【００６２】
第２のエミッタ３は概して、第１のエミッタ２の近くに配置される。
【００６３】
第２のエミッタ３は特に、第１のエミッタ２がパルス磁界２ａを放射するとき、すなわち作動しているときに、パルス磁界２ａに少なくとも部分的に包まれることが好ましい。
【００６４】
前記したように、好ましくは、パルス磁界２ａに包まれる部分は、プレート３１のうちソレノイド出力部に配置された部分で構成される。
【００６５】
放射源または複数の放射源３０は、第１のエミッタの内部、すなわち、例えばソレノイドの内部に配置することができ、またはその外部に配置することができる。
【００６６】
好ましくは、少なくとも１つの放射源３０は、第１のエミッタ２の外側に配置され、好ましくは、放射源３０は２つあり、ソレノイド２０の下方と上方に配置される。
【００６７】
装置１はさらに、少なくとも１つの電流生成器４を備える。
【００６８】
電流生成器４は、例えば、パルス電流２ｂを生成するのに適しており、よって第１のエミッタ２と電気的な接続状態に置かれることが好ましい。
【００６９】
電流生成器４はさらに、少なくとも１つの放射源３０に電流を供給してもよい。よって、例えば、生成器４は、少なくとも１つの放射源３０のみと電気的に接続してもよく、または放射源３０および第１のエミッタ２の両方と電気的に接続してもよい。
【００７０】
装置１はまた、制御手段７を備えてもよい。
【００７１】
制御手段７は、例えば、第１のエミッタ２および第２のエミッタ３における電流の放射を制御するように設計されたマイクロチップまたはマイクロプロセッサとすることができる。
【００７２】
これにより、例えば、パルス磁界２ａと発光信号３ａとの間の相互作用を規定し修正することが可能になる。
【００７３】
例えば、制御手段７は、放射源３０を制御するのに適していてもよく、特に、例えば、ＲＧＢ形式である場合のＬＥＤの多色周波数を制御するのに適していてもよい。
【００７４】
装置１はまた、複数の第１のエミッタ２および第２のエミッタ３を備えてもよい。
【００７５】
装置１は特に、例えば、２つの第１のエミッタ２および２つの第２のエミッタ３を備える。よって、装置１は、例えばこの形態において２つの拡散器（diffuser）５を備える。
【００７６】
拡散器５はそれぞれ、少なくとも第１のエミッタ２および第２のエミッタ３を備えることが好ましい。
【００７７】
よって、拡散器５は、体または食料や飲料に装置１を取り付けるための成形カップとすることができる。加えて、それらは、耳用タイプの拡散器とすることができ、よって、装置１は、実質的に耳用ヘッドホン６で構成することができる。
【００７８】
よって、耳用ヘッドホン６は、使用者１０の体の少なくとも一部に取り付けることができる。好ましくは、耳用ヘッドホン６は、使用者の頭部に取り付けることができ、よって、拡散器５からの放射が頭部へ向けられる。
【００７９】
好ましくは、拡散器５は、向かい合い、よって、２つのパルス磁界を互いに対向して生成することが好ましい。
【００８０】
よって、拡散器５は、拡散器からの放射を操作するおよび／または様々に変化させることができるように、制御手段７によって制御することができる。
【００８１】
構造の観点から前述した装置１の作動については、以下の通りである。
【００８２】
装置１は、食料や飲料または使用者１０に取り付けることができる。
【００８３】
装置は作動すると、発光信号３１ａが拡散される拡散面３１ａを横切るパルス磁界の放射を可能にする。
【００８４】
発光信号３ａとパルス磁界２ａは、使用者１０の体の表面または食料や飲料容器の外面に相乗的に到達する。
【００８５】
これにより、例えば、拡散器５からの微分パルス磁界２ａで処置することにより、全体的に僅かな負極性を伴って、体細胞電位を再生することが可能になる。
【００８６】
これにより、細胞の膜電位を下げることが可能になり、よって、細胞の機能を向上させる。
【００８７】
本発明は、食料や飲料の処理における新たな用途をもたらす。これらの食品は特に、パルス磁界２ａおよび発光信号３ａの拡散によって、抗酸化作用が向上され、体内で消化され易くなって追加の周波数取込み機能をもたらすことが見出されている。
【００８８】
それは、物質の原子を周波数整合状態にし、適用される体の高い適合性を支持するために、プロテーゼ用材料にも適用することができる。
【００８９】
本発明によるパルス電磁放射装置１は、重要な利点を実現する。
【００９０】
実際のところ、装置１は、体および神経細胞の電位を下げることにより、老化または劣化を受ける体細胞の再生を可能にする。
【００９１】
さらに、装置１は、使用者１０の体または食料や飲料に相乗的に向けられるパルス磁界２ａおよび発光信号３ａを用いて、治療処置と、食料、飲料、液体、補助食品、クリームやゲルなどの溶液、およびプロテーゼ用材料の処理との両方を可能にする。
【００９２】
パルス磁界２ａによって駆動される発光信号３ａの適用により、磁界のみを使用する装置と比べて、再生能力が高まる。
【００９３】
結論として、装置１は、同じ周波数情報が体にとって有害とならずに、細胞および神経機能に完全に適合するように、ＥＬＦおよびＵＬＦ周波数磁界を有利に利用する。
【００９４】
実際のところ、装置１は、放射される有色スケールの使用によって、電磁周波数刺激に対して生物および物質自体によってもたらされる抵抗を克服することに加えて、先行技術（最大で１０Ｔ）の範囲で採用されるものと比べて弱い磁界（１０Ｇ未満）の、細胞共鳴窓すなわちＡｄｅｙ窓を貫く放射によって、例えば、体の完全な適合性を支持する。
【００９５】
本発明は、請求項によって規定される発明概念に含まれる範囲内で変形の余地がある。
【００９６】
例えば、装置１は、耳用ヘッドホン６で構成されなくてもよく、単一の拡散器５を備えてもよく、例えば、必要に応じて使用者１０の体に配置できる弾性バンドとしてもよい。
【００９７】
代わりに、装置１は、食料、液体、補助食品、飲料、クリーム、ゲルおよびプロテーゼ用材料のための磁化ボックスに組み込まれた１つ以上の拡散器５を備えることができる。
【００９８】
例えば、磁化ボックスの形態の装置１は、人体との材料の生態適合性を高めることで、体による拒絶の可能性を下げるために、生物医学分野で広範に使用されるチタンプロテーゼ、またはシリコーンゲル、歯科用複合材料などの処理に適するものとすることができる。
【００９９】
これに関連して、全ての詳細は、等価な要素によって置換可能であり、材料、形状および寸法は、任意の材料、形状および寸法とし得る。
【図１】
2020511172.tif 000003
【図２】
2020511172.tif 000004
【図３】
2020511172.tif 000005
【図４】
2020511172.tif 000006
【国際調査報告】
2020511172.tif 000007
2020511172.tif 000008
2020511172.tif 000009